(57)【特許請求の範囲】
【請求項１】
ケーシングにそれぞれ接続される内筒及び外筒間に複数個のガイドベーンを放射状に組入れる横軸チューブラ水車の据付方法において、
予め仮架台上に接続端部を向けて内筒及び外筒を仮置きし、この状態で前記内筒及び外筒間に放射状に組入れられる複数個のガイドベーンを１本おきにして回動可能に組入れて部分組立を行った後、これらを一体的に内筒及び外筒の接続端部が横向きになるように起立させて前記ケーシングに接続することを特徴とするチューブラ水車の据付方法。
【請求項２】
ケーシングにそれぞれ接続される内筒及び外筒間に複数個のガイドベーンを放射状に組入れる横軸チューブラ水車の据付方法において、
予め仮架台上に接続端部を向けて内筒及び外筒を仮置きし、この状態で前記内筒及び外筒間に放射状に組入れられる複数個のガイドベーンを回動可能にして上側と下側にのみ組入れて部分組立を行った後、これらを一体的に内筒及び外筒の接続端部が横向きになるように起立させて前記ケーシングに接続することを特徴とするチューブラ水車の据付方法。
【発明の詳細な説明】
【０００１】
【発明の属する技術分野】
本発明は、チューブラ水車の据付方法に関する。
【０００２】
【従来の技術】
チューブラ水車は、低落差で大流量用の水車として広く使用されている。図５乃至図８は、従来のチューブラ水車の据付方法を説明するための構成例を示す図である。
【０００３】
一般に横軸チューブラ水車は、図５に示すように内筒１を取付け、次に図６に示すように外筒２をケーシング５に取付けた後、図７に示すようにこれら内筒１及び外筒２間に特殊工具６を用いて複数個のガイドベーン４を個々に組入れ、これらを図８に示すように内筒１及び外筒２に回動可能に軸支させて組立てられている。
【０００４】
また、ガイドベーンの組立てを容易にするため、特開昭６０−１４２８６号公報に示されているように外筒２とケーシング５間にルーズフランジを設けて外筒のない状態でガイドベーン４を組立て、その後外筒４を組立てる方法が知られている。
【０００５】
【発明が解決しようとする課題】
しかし、このような組立方法では、内筒１に放射状に設けられたガイドベーン４を支持するための串穴に、内筒１の上側に位置するガイドベーンはクレーンにより上から下へ吊下すようにして組立て、内筒１の下側に位置するガイドベーンは下から上へ引き上げるようにして組立なければならない。このため、全てのガイドベーンを組立てるには非常に多くの手間と時間がかかる。
【０００６】
また、内筒１の左右のガイドベーンは左右斜めの移動を伴い、各々のガイドベーンにより作業条件が異なる。このため、特殊工具等が必要となると共に、組立の品質上、工程上問題であり、据付も困難なものとなっていた。
【０００７】
本発明は上記のような問題点を解消し、チューブラ水車の据付を容易にし、機器の信頼性及び経済性を向上させることができるチューブラ水車の据付方法を提供することを目的とする。
【０００８】
【課題を解決するための手段】
本発明は上記の目的を達成するため、次のような方法でチューブラ水車を据付ける。
請求項１に対応する発明は、ケーシングにそれぞれ接続される内筒及び外筒間に複数個のガイドベーンを放射状に組入れる横軸チューブラ水車の据付方法において、予め仮架台上に接続端部を向けて内筒及び外筒を仮置きし、この状態で前記内筒及び外筒間に放射状に組入れられる複数個のガイドベーンを１本おきにして回動可能に組入れて部分組立を行った後、これらを一体的に内筒及び外筒の接続端部が横向きになるように起立させて前記ケーシングに接続する。
【０００９】
請求項２に対応する発明は、ケーシングにそれぞれ接続される内筒及び外筒間に複数個のガイドベーンを放射状に組入れる横軸チューブラ水車の据付方法において、
予め仮架台上に接続端部を向けて内筒及び外筒を仮置きし、この状態で前記内筒及び外筒間に放射状に組入れられる複数個のガイドベーンを回動可能にして上側と下側にのみ組入れて部分組立を行った後、これらを一体的に内筒及び外筒の接続端部が横向きになるように起立させて前記ケーシングに接続する。
【００１１】
従って、このようなチューブラ水車の据付方法にあっては、全てのガイドベーンは同一条件にてクレーンにより上から下方に組入れられるため、ガイドベーン毎の異なった組入れ作業が発生しなくなる。しかも、全てのガイドベーンが組入れられると内筒及び外筒を一体的にそれぞれの接続端部が横向きになるように起立させてケーシングに接続されるので、従来のようにガイドベーンを１本ずつ組立てる方法に比べて組立作業が簡単且つ容易になり、据付工期を短くできる。
【００１２】
【発明の実施の形態】
以下本発明の実施の形態およびその前提となる技術を図面を参照して説明する。
図１及び図２は本発明の前提となる技術によるチューブラ水車の据付方法を説明するための構成例をそれぞれ示すものである。
【００１３】
図１において、予め中央に内筒１を仮置きするための仮架台３ａを配置し、この仮架台３ａの両側に適宜の間隔を存して外筒２を仮置きするための仮架台３ｂをそれぞれ配置しておく。このように配置された仮架台３ａの上面にまず内筒１のケーシング側の接続端部を向けて仮置きし、次に仮架台３ｂの上面に外筒２のケーシング側の接続端部を向けて仮置きする。
【００１４】
この状態で内筒１及び外筒２間にクレーンによりガイドベーン４を１個ずつ吊下げた状態で組入れ、これらガイドベーン４の両端部を内筒１及び外筒２にそれぞれ回動自在にそれぞれ軸支させる。
【００１５】
このようにして全てのガイドベーン４が組立てられると、これらを一体にして図２に示すように内筒１及び外筒２の接続端部が横向き（水平方向）になるように起立させ、その接続端部をケーシング５側の接続端部にそれぞれ接続して据付作業を完了する。
【００１６】
このようなチューブラ水車の据付方法とすれば、全てのガイドベーン４は同一条件にてクレーンにより内筒１及び外筒２間に上方から下方に組入れられるため、ガイドベーン４の組入箇所によって異なった作業が発生しなくなる。しかも、全てのガイドベーン４が組入れられると内筒１及び外筒２を一体的にそれぞれの接続端部が横向きになるように起立させてケーシング側にそれぞれ接続しているため、従来のようにガイドベーンを１本ずつ組立てる方法に比べて組立作業が簡単且つ容易になり、据付工期を短くできる。
【００１７】
従って、チューブラ水車の据付を容易にし、信頼性、経済性、安全性の向上を図りことができる。
次に本発明のチューブラ水車の据付方法の実施の形態を図３により説明する。この実施の形態では図３に示すように内筒１及び外筒（図示せず）が前述同様に仮架台に仮置きされた状態でガイドベーン４を１本おきに半数を組入れ、その後内筒及び外筒を一体的にそれぞれの接続端部が横向きになるように起立させてから残りの半数を組入れる。
【００１８】
このようにすればガイドベーン４を半数組入れた状態で内筒、外筒を含めて起こすので、据付られる重量はその分軽減される。しかも、１本置きに組入れられているため、起立時の左右のバランスは保たれるので、クレーン容量に余裕ができ、前述と同様の効果が得られる。
【００１９】
次に本発明のチューブラ水車の据付方法の他の実施の形態を図４により説明する。この実施の形態では図３に示すように内筒１及び外筒（図示せず）が前述同様に仮架台に仮置きされた状態でガイドベーン４を上側と下側に同数ずつ組入れられる。その後内筒及び外筒を一体的にそれぞれの接続端部が横向きになるように起立させてから、残りのガイドベーン４を特殊工具等により内筒及び外筒間に組入れられるが、この場合のガイドベーン４の組込み方向は左右方向のみなので、作業条件は改善される。これにより、前述と同様の効果を得ることができる。
【００２０】
【発明の効果】
以上述べたように本発明によれば、チューブラ水車の据付を容易にし、機器の信頼性及び経済性を向上させることができるチューブラ水車の据付方法を提供できる。
【図面の簡単な説明】
【図１】  本発明の前提となる技術によるチューブラ水車の据付方法を説明するための図。
【図２】  本発明の前提となる技術による据付状態を説明するための図。
【図３】  本発明によるチューブラ水車の据付方法の実施の形態の説明図。
【図４】  本発明によるチューブラ水車の据付方法の他の実施の形態の説明図。
【図５】  従来のチューブラ水車において、外筒が据付られていない状態を示す図。
【図６】  従来のチューブラ水車において、内筒、外筒が据付られた状態を示す図。
【図７】  従来のチューブラ水車において、特殊工具によりガイドベーンを組込む状態を示す図。
【図８】  従来のチューブラ水車の据付完了状態を示す図。
【符号の説明】
１……内筒、２……外筒、３ａ，３ｂ……仮架台、４……ガイドベーン、５……ケーシング。
【図１】
0003730290.tif 000002
【図２】
0003730290.tif 000003
【図３】
0003730290.tif 000004
【図４】
0003730290.tif 000005
【図５】
0003730290.tif 000006
【図６】
0003730290.tif 000007
【図７】
0003730290.tif 000008
【図８】
0003730290.tif 000009